(57)【特許請求の範囲】
【請求項１】
ユニット毎に異なる識別番号を記憶した少なくとも一つの外部ユニットと、
前記外部ユニットを着脱可能に接続した場合に、前記外部ユニットから送信された識別番号を記憶し、該記憶した識別番号を有する外部ユニットを制御対象とする制御ユニットを備えた車載用電子機器の接続確認システムにおいて、
前記制御ユニットは、
前記外部ユニットから送信された識別番号を受信した場合、前記外部ユニットに「接続状態を表す情報」を送信する手段を備え、
前記外部ユニットは、
前記「接続状態を表す情報」を記憶し、前記制御ユニットとの接続が解除された場合に前記記憶内容が消去される揮発性メモリと、
前記「接続状態を表す情報」を記憶し、前記制御ユニットとの接続の有無にかかわらず記憶内容を保持される不揮発性メモリと、
前記制御ユニットに接続した場合に前記不揮発性メモリの記憶内容を前記揮発性メモリに書き込む書込手段とを備え、
前記書込手段の書き込み後、前記揮発性メモリに記憶内容が存在するか否か検知する手段と、
前記揮発性メモリに記憶内容が存在しない場合は、制御ユニットに識別番号を送信する手段と、
前記揮発性メモリに記憶内容が存在する場合は、制御ユニットに識別番号を送信することなく制御ユニットによる制御対象となる手段とを備えることを特徴とする車載用電子機器の接続確認システム。
【請求項２】
電子機器である制御ユニット及び外部ユニットが互いに接続された場合に、
その接続状態を判定し、当該外部ユニットを制御ユニットの制御対象とする車載用電子機器の接続確認システムの制御方法において、
前記判定結果を記憶可能で、且つ前記制御ユニットとの接続解除によって記憶内容が消去される揮発性メモリと、
前記判定結果を記憶可能で、且つ前記制御ユニットとの接続の有無にかかわらず、記憶内容を保持可能な不揮発性メモリとを備え、
前記外部ユニットと前記制御ユニットとが接続された時に、
前記外部ユニットに設けられた前記揮発性メモリと前記不揮発性メモリに、接続状態の判定結果が存在しないことを検知した場合に、
接続状態の判定を行うステップと、
当該判定結果を前記揮発性メモリと前記不揮発性メモリに記憶するステップと、
前記外部ユニットと前記制御ユニットとの接続解除によって、前記揮発性メモリの記憶内容が消去された場合であっても、前記不揮発性メモリの記憶内容を保持するステップと、
その後、前記外部ユニットと前記制御ユニットとが接続された時に、前記不揮発性メモリに記憶された判定結果を前記揮発性メモリに書き込むステップと、
前記外部ユニットに設けられた前記揮発性メモリに、判定結果が存在することを検知した場合に、接続状態の判定を行わないステップと、
を含むことを特徴とする車載用電子機器の接続確認システムの制御方法。
【発明の詳細な説明】
【０００１】
【発明の属する技術分野】
本発明は、電子機器の制御ユニットに対する外部ユニットの接続を確認する接続確認システムに係り、特に、制御ユニットに頻繁に着脱される外部ユニットの接続確認に改良を施した車載用電子機器の接続確認システム、及びその制御方法に関する。
【０００２】
【従来の技術】
通常の車載用の音響システムは、制御装置、アンプ及びチューナなどを内蔵した制御ユニットに対して、コンパクトディスク（ＣＤ）プレーヤ、ミニディスク（ＭＤ）プレーヤ、カセットプレーヤなどの外部ユニットがデータバスを介して接続され、制御ユニットと各外部ユニットとの間で、様々なデータをやりとりできるように構成されている。
【０００３】
このような音響システムおいては、制御ユニットが予め定められているプログラムに従って処理を実行する際に、外部ユニットの接続確認を実行している。これは、外部ユニットが接続された時に、その接続状態を判定し、その判定結果に応じて、センターユニットの制御対象となる外部装置を決定し、当該外部装置に関する処理手順をシステムに組み込むシステムチェックを行うものである。
【０００４】
ところで、上述の制御ユニットのフロントパネルには、電源スイッチ、ボリュームコントローラ、選曲ボタン、選局ボタン等の操作部が設けられている。そして、ユーザは、この操作部を操作することによって音響システムを使用することができる。このような操作部を備えたフロントパネルは、制御ユニットから着脱可能なＤＣＰ（Ｄｅｔａｃｈａｂｌｅ  Ｃｏｎｔｒｏｌ  Ｐａｎｅｌ）ユニットとして構成されている場合がある。このＤＣＰユニットは、ユーザが車体から離れる際に、制御ユニット本体から取り外して持ち運ぶことによって、車体側に残された制御ユニット本体及び外部ユニットを実質的に使用不能にして、音響システムが盗難されることを防止するものである。
【０００５】
【発明が解決しようとする課題】
しかしながら、上述のようなＤＣＰユニットを備えた音響システムにおいては、ＤＣＰユニットを制御ユニットから取り外した後、再度装着した場合、制御ユニット側では、新たな外部ユニットが接続されたと判定し、初期接続時と同様にシステム全体の接続確認が行われることになる。しかし、ＤＣＰユニットの取り外しは、ユーザが車体を離れる度に行うものなので、頻繁に行われることが当然に予定されている。従って、ＤＣＰユニットが制御ユニットに装着される度に、所定の処理時間を要する接続確認を繰り返すことは、システムの処理効率の上で好ましくなく、ユーザが接続確認終了まで使用を再開できず、不便である。
【０００６】
本発明は、上記のような従来技術の問題点を解決するために提案されたもので、その目的は、電子機器の制御ユニットに接続される外部ユニットのうち、頻繁に着脱が行われる外部ユニットについての接続確認を最小限とすることによって、制御ユニットの処理を効率良く速やかに行うことができる車載用電子機器の接続確認システム、及びその制御方法を提供することにある。
【０００７】
【課題を解決するための手段】
上記の目的を達成するため、本発明は、ユニット毎に異なる識別番号を記憶した少なくとも一つの外部ユニットと、前記外部ユニットを着脱可能に接続した場合に、前記外部ユニットから送信された識別番号を記憶し、該記憶した識別番号を有する外部ユニットを制御対象とする制御ユニットを備えた車載用電子機器の接続確認システムにおいて、前記制御ユニットは、前記外部ユニットから送信された識別番号を受信した場合、前記外部ユニットに「接続状態を表す情報」を送信する手段を備え、前記外部ユニットは、前記「接続状態を表す情報」を記憶し、前記制御ユニットとの接続が解除された場合に前記記憶内容が消去される揮発性メモリと、前記「接続状態を表す情報」を記憶し、前記制御ユニットとの接続の有無にかかわらず記憶内容を保持される不揮発性メモリと、前記制御ユニットに接続した場合に前記不揮発性メモリの記憶内容を前記揮発性メモリに書き込む書込手段とを備え、前記書込手段の書き込み後、前記揮発性メモリに記憶内容が存在するか否か検知する手段と、前記揮発性メモリに記憶内容が存在しない場合は、制御ユニットに識別番号を送信する手段と、前記揮発性メモリに記憶内容が存在する場合は、制御ユニットに識別番号を送信することなく制御ユニットによる制御対象となる手段とを備えることを特徴とする。
【０００８】
なお、請求項１に係る車載用電子機器の接続確認システムは、請求項２に記載するとおり、車載用電子機器の接続確認システムの制御方法の発明として捉えることも可能である。
【００１３】
以上のような請求項１及び２記載の発明では、外部ユニットが、最初に制御ユニットに接続された際には、揮発性メモリ及び不揮発性メモリに、接続状態の記憶がないことが検知されるので、外部ユニットから制御ユニットに対して接続状態の判定が要求され、システムチェックが行われる。そして、その結果が揮発性メモリ及び不揮発性メモリに記憶される。その後、盗難防止のために外部ユニットを制御ユニットから取り外すと、揮発性メモリの記憶内容は消去されるが、不揮発性メモリの記憶内容は保持される。さらに、再び外部ユニットを制御ユニットに対して装着した際には、不揮発性メモリに接続状態の判定結果の記憶があることが検知され、その判定結果が揮発性メモリに書き込まれる。すると、揮発性メモリに判定結果が存在することが検知され、外部ユニットから制御ユニットには接続状態の判定要求はなされず、システムチェックは行われない。従って、頻繁に着脱を行う外部ユニットの場合、２回目移行の着脱の際にはシステムチェックが省略され、処理効率が向上する。
【００１５】
以上のような請求項２記載の発明では、第２の記憶手段は、外部ユニットを制御ユニットから取り外した後においても、記憶を保持できる。従って、ユーザが盗難防止のために外部ユニットを取り外した時であっても、その時に設定されていた制御ユニットの調整値を第２の記憶手段に記憶させておけば、ユーザが外部ユニットを制御ユニットに再度装着した際には、あらためて調整値を設定する必要がなくなる。そして、工場等において制御ユニットの機能の調整値を変化させて自己診断を行った後には、出荷前に、制御ユニットのリセット指示手段を操作する。すると、リセット指示手段からの指示が外部ユニットに伝達され、これが検知されるので、第２の記憶手段の記憶内容が初期化される。従って、ユーザがシステムを最初に使用する際には、自己診断時における調整値の設定が保持されている場合のような不都合の発生が防止される。
【００１６】
【発明の実施の形態】
次に、本発明の実施の形態について、図面を参照して説明する。
【００１７】
（１）実施の形態の構成
１−１．全体的構成
本実施の形態の電子機器の接続確認システムは、図１の全体構成図に示すように、車載用の音響機器を制御するセンターユニット１及びＤＣＰユニット２内に構成されている。本実施の形態においては、センターユニット１に対して、ＤＣＰユニット２及びＣＤプレーヤ３が、データバス４を介して外部から接続される構成となっている。また、センターユニット１とＤＣＰユニット２との間は、イニシャルライン５を介して接続される構成となっている。さらに、センターユニット１及びＤＣＰユニット２は、主電源供給ライン６を介して主電源に接続される構成となっている。
【００１８】
１−１−１．センターユニット
センターユニット１には、制御回路１０、接続状態記憶部１１、リセットボタン１２、送受信部１３が設けられている。接続状態記憶部１１は、ＤＳＰユニット２及びＣＤプレーヤ３から受信した識別番号を記憶するメモリである。リセットボタン１２は、制御回路１０の再起動をユーザが指示入力するスイッチである。送受信部１３は、データバス４を介して、ＤＣＰユニット２及びＣＤプレーヤ３との間で、情報の送受信を行うものであり、例えば、ＣＤＰユニット２及びＣＤプレーヤ３からの識別番号や、接続確認を要求するコマンド等を受信したり、リセットボタン１２による指示入力を送信する機能を有する。
【００１９】
１−１−２．ＤＣＰユニット
ＤＣＰユニット２には、制御回路２０、操作部２１、識別番号記憶部２２、確認要求コマンド記憶部２３、揮発性メモリ２４、不揮発性メモリ２５及び送受信部２６が設けられている。操作部２１は、電源用、ボリューム調整用、選曲・再生用等の複数の操作ボタンから成るスイッチである。識別番号記憶部２２は、ＤＣＰユニット２自体の識別番号を記憶したメモリである。確認要求コマンド記憶部２３は、センターユニット１に接続確認を要求するコマンドを記憶したメモリである。
【００２０】
揮発性メモリ２４及び不揮発性メモリ２５は、センターユニット１に接続されている外部ユニットの識別番号を記憶するメモリである。揮発性メモリ２４は、制御回路２０とともに、主電源供給ライン６に接続され、バックアップされているが、センターユニット１とＤＣＰユニット２との接続が解除された場合には、その記憶内容が消滅する。
【００２１】
一方、不揮発性メモリ２５は、センターユニット１とＤＣＰユニット２との接続が解除されても、その記憶内容は保持される。なお、不揮発性メモリ２５には、ユーザが操作部２１を操作することによって設定されたボリューム、バランス、フェダー等の調整値が記憶される構成となっている。。
【００２２】
送受信部２６は、データバス４を介して、センターユニット１との間で、情報の送受信を行うものであり、例えば、センターユニット１へ識別番号や接続確認を要求するコマンド等を送信したり、リセットボタン１２による指示入力を受信する機能を有する。
【００２３】
１−１−３．ＣＤプレーヤ
ＣＤプレーヤ３には、制御回路３０と、識別番号記憶部３１と、確認要求コマンド記憶部３２、送受信部３３が設けられている。識別番号記憶部３１は、ＣＤプレーヤ３自体の識別番号を記憶したメモリである。確認要求コマンド記憶部３２は、センターユニット１に接続確認を要求するコマンドを記憶したメモリである。送受信部３２は、センターユニット１との間での情報の送受信を行うものであり、例えば、センターユニット１へ識別番号や接続確認を要求するコマンド等を送信する機能を有する。
【００２４】
１−２．センターユニット及びＤＣＰユニットの制御回路の構成
以上のようなセンターユニット１及びＤＣＰユニット２における制御回路１０，２０が、接続確認を行うために備えている機能について、図１に基づいて説明する。これらの制御回路が備えている機能は、実際には、各ユニット内に搭載されたマイクロコンピュータを、組み込みプログラムなどのソフトウェアで制御することで実現される。
【００２５】
この場合、どんな種類のＣＰＵを使うか、どんな種類のプログラミングシステムを使うか、ソフトウェアはＲＯＭチップに記録しておくのか、ＣＤ−ＲＯＭのような記録媒体から読み込んで実行するのか、といった具体的な構成はいろいろ考えられる。このため、図１では、それぞれ一定の機能を果たす仮想的回路ブロックを用いて本実施形態を説明する。なお、制御回路１０における一般の音響再生システムとしての機能部分は、説明を省略する。
【００２６】
１−２−１．センターユニットの制御回路
制御回路１０には、接続状態判定手段１０ａ、システムチェック手段１０ｂ、リセット手段１０ｃ及びイニシャルライン制御手段１０ｄが設けられている。接続状態判定手段１０ａは、ＤＣＰユニット２及びＣＤプレーヤ３からの識別番号及び確認要求コマンドを受信した場合に、これらの外部ユニットとの接続状態を判定する手段である。システムチェック手段１０ｂは、接続状態判定手段１０ａによって接続されていると判定された外部ユニットを、センターユニット１による制御対象とするシステムチェックを実行する手段である。リセット手段１０ｃは、リセットボタン１２からの入力に応じて、システムの再起動を行う手段である。イニシャルライン制御手段１０ｄは、リセットボタン１２からの入力に応じて、イニシャルライン５を制御する手段である。
【００２７】
１−２−２．ＣＤＰユニットの制御回路
制御回路２０には、操作入力制御手段２０ａ、接続情報制御手段２０ｂ、書込制御手段２０ｃ、記憶検知手段２０ｄ、リセット検知手段２０ｅ及び初期化手段２０ｆが設けられている。操作入力制御手段２０ａは、操作部２１からの入力に応じて、センターユニット１への電源切換、ボリューム調整、選曲・再生等の指示信号を生成する手段である。接続情報制御手段２０ｂは、ＤＣＰユニット２において送受信される識別番号や接続確認を要求するコマンド等の制御を行う手段である。
【００２８】
書込制御手段２０ｃは、揮発性メモリ２４及び不揮発性メモリ２５への識別番号の書込を制御する手段である。記憶検知手段２０ｄは、揮発性メモリ２４及び不揮発性メモリ２５に記憶された記憶内容を検知する手段である。リセット検知手段２０ｅは、センターユニット１のリセットボタン１２からの指示入力を検知する手段である。初期化手段２０ｆは、リセット検知手段２０ｅにおいて指示入力が検知された場合に、不揮発性メモリ２５を初期化する手段である。
【００２９】
（２）実施の形態の作用
以上のような構成を有する本実施の形態の作用を、図２〜図４のフローチャートを参照して説明する。
【００３０】
２−１．接続確認の手順
まず、図２に示すように、センターユニット１に対して、ＤＣＰユニット２を接続すると、主電源供給ライン６を介して、ＤＳＰユニット２が主電源に接続される（ステップ２０１）。そして、ＤＣＰユニット２における記憶検知手段２０ｄは、不揮発性メモリ２５及び揮発性メモリ２４の記憶内容の有無を検知する（ステップ２０２，２０４）。ここで、初期接続時には、不揮発性メモリ２５及び揮発性メモリ２４には記憶内容が存在しないので、これが記憶検知手段２０ｄに検知されると、接続情報制御手段２０ｂによって、識別番号記憶部２２及び確認要求コマンド記憶部２３に記憶された識別番号及び確認要求コマンドが、センターユニット１に送信される（ステップ２０５）。
【００３１】
センターユニット１においては、確認要求コマンドの受信に応じて、接続状態判定手段１０ａが作動し、受信した識別番号に基づいて、ＤＣＰユニット２が接続されたと判定される（ステップ２０６）。このような接続状態を表す識別番号は、接続状態記憶部１１に記憶されるとともに、再びＤＣＰユニット２側へ送信され、揮発性メモリ２４及び不揮発性メモリ２５に記憶される（ステップ２０７）。
【００３２】
このように、接続状態判定手段１０ａによってＤＣＰユニット２が接続されたことが判定されると、システムチェック手段１０ｂによってシステムチェックが行われる（ステップ２０８）。かかるシステムチェック後は、ユーザによる操作部２１の操作に応じて、ボリューム調整、選曲・再生指示等を行い、通常の音響システムとしての動作を行うことができる（ステップ２０９）。
【００３３】
次に、ユーザが、車体を離れる際には、ＤＣＰユニット２をセンターユニット１から取り外して持ち運ぶ。このようにＤＣＰユニット２がセンターユニット１から取り外されると、主電源から切り離された揮発性メモリ２４の記憶内容が消滅するが、不揮発性メモリ２５の記憶内容は保持される。
【００３４】
この状態で、車体に戻ったユーザが、再びセンターユニット１にＤＣＰユニット２を接続すると、主電源供給ライン６を介して、ＤＳＰユニット２が主電源に接続される（ステップ２０１）。そして、記憶検知手段２０ｄによって、不揮発性メモリ２５に接続状態を表す識別番号が記憶されているか否かが検知されるが、この再接続時には、上記のように、不揮発性メモリ２５に接続状態が保持されているので（ステップ２０２）、これが検知され、書込制御手段２０ｃが、不揮発性メモリ２５の記憶内容を揮発性メモリ２４に書き込む（ステップ２０３）。その後、記憶検知手段２０ｄによって、揮発性メモリ２４に記憶内容が存在するか否かが検知されるが、前記書き込み処理によって、揮発性メモリ２４には記憶内容が存在しているので、これが検知され（ステップ２０４）、通常動作へ移行する（ステップ２０９）。
【００３５】
なお、センターユニット１に対してＣＤプレーヤ３を接続した場合には、識別番号記憶部３１及び確認要求コマンド記憶部３２から、センターユニット１に対して識別番号及び確認要求コマンドが送信される。そして、センターユニット１においては、確認要求コマンドを受信すると、接続状態判定手段１０ａによってＣＤプレーヤ３の接続が判定されて、接続状態記憶部１１に識別番号が記憶され、システムチェック手段１０ｂによるシステムチェックが行われる。
【００３６】
２−２．システムリセットの手順
上述のように、不揮発性メモリ２５には、ユーザが設定した調整値が記憶される。そして、その記憶内容は、センターユニット１とＤＣＰユニット２との接続が解除されても保持される。従って、ユーザが車体を離れる際にＤＣＰユニット２を取り外した後、再びＤＣＰユニット２を取り付けた場合、ユーザがあらためて調整値を設定し直さなくても、不揮発性メモリ２５に記憶された調整値に基づいて使用を開始することができる。
【００３７】
ところで、各ユニットの製造を行う工場等においては、その製造工程の最終段階で、製造品が正常に動作するか否かの診断を行う。かかる診断は、例えば、車載用の音響機器においては、これに自己診断用の機器をバスを介して接続し、当該音響機器のボリューム、バランス、フェダー等の調整値を変化させることによって行われる。この調整値は、上述のように、不揮発性メモリ２５に記憶されるので、自己診断終了後、ＤＣＰユニット２をセンターユニット１から取り外しても記憶が保持されることになる。
【００３８】
しかし、かかる自己診断中における調整値の変化の幅は、通常の使用時の調整値の変化範囲よりも広いので、自己診断終了後は、例えば、ボリュームの調整値が最大となっている可能性がある。従って、このような状態のままで工場から出荷されれば、ユーザが製品を購入後、最初に使用する際、例えば、いきなりボリュームが最大となっているような場合があり、機器を傷める可能性がある。
【００３９】
これを回避するため、本実施の形態は、工場から出荷する前に、センターユニット１に設けられたリセットボタン１２を押圧してシステムの再起動を指示すると、ＤＣＰユニット２の不揮発性メモリ２５の内容も初期化されるように構成されている。すなわち、図３に示すように、センターユニット１のリセットボタン１２が押圧されると（ステップ３０１）、リセット手段１０ｃによってセンターユニット１側のシステムの再起動が行われる（ステップ３０２）。
【００４０】
そして、イニシャルライン制御手段１０ｄによって、イニシャルライン５が通信可能なアクティブ状態に切り換えられるので（ステップ３０３）、リセットボタン１２からの指示入力が、イニシャルライン５を介してＤＣＰユニット２側に送信される（ステップ３０４）。その後、イニシャルライン制御手段１０ｄは、イニシャルライン５を通信不能な非アクティブ状態に切り換える（ステップ３０５）。
【００４１】
一方、図４に示すように、ＤＣＰユニット２においては、センターユニット１から、リセットボタン１２の指示入力を受信すると（ステップ４０１）、リセット検知手段２０ｅによって指示入力が検知され（ステップ４０２）、初期化手段２０ｆが不揮発性メモリ２５を初期化する（ステップ４０３）。このように、不揮発性メモリ２５が初期化された状態で、工場からの出荷が行われる。
【００４２】
（３）実施の形態の効果
以上のような本実施の形態の効果は以下の通りである。すなわち、センターユニット１からの着脱が頻繁に行われるＤＣＰユニット２については、初期接続時にのみ接続確認が行われ、その後、着脱が繰り返されても、接続確認は行われない。このため、システムの処理効率が向上し、ユーザはＤＣＰユニット２の装着後、早期に使用を再開できるので便利である。
【００４３】
また、調整値の記憶手段として不揮発性メモリ２５を活用するので、ユーザが操作することによって自らの好みの値に設定した調整値が、そのまま保持され、あらためて調整値を設定し直す必要がなく便利である。
【００４４】
さらに、リセットボタン１２の操作によって、自己診断後、工場出荷前に不揮発性メモリ２５を容易に初期化することができるので、ユーザが製品を購入後、最初に使用する際には、必ず調整値が初期化されていることになり、いきなりボリュームが最大となっているような事態が防止される。
【００４５】
（４）他の実施の形態
本発明は、上記のような実施の形態に限定されるものではない。例えば、制御ユニットであるセンターユニット１に接続される外部ユニットは、ＤＣＰユニット２やＣＤプレーヤ３には限定されず、他の音響機器、例えば、ＭＤプレーヤ、カセットプレーヤ、アンプ、チューナ、テレビ等であってもよく、音響機器以外の電子機器、例えばナビゲーションシステム等であってもよい。接続される外部ユニットの数も自由に増減変更可能である。
【００４６】
また、イニシャルライン５を省略して、データバス４のみを介して、リセット指示の送受信を行わせることも可能である。そして、ＤＣＰユニット２側の操作部２１の１つとして、不揮発性メモリ２５の初期化を指示入力するスイッチを別途設けることも可能である。さらに、本発明の機能を実現するコンピュータプログラムを記録した記録媒体も本発明の一態様である。
【００４７】
【発明の効果】
以上のような本発明によれば、電子機器の制御ユニットに接続される外部ユニットのうち、頻繁に着脱が行われる外部ユニットについての接続確認を最小限とすることによって、制御ユニットの処理を効率良く速やかに行うことができる車載用電子機器の接続確認システム、及びその制御方法を提供することができる。
【図面の簡単な説明】
【図１】本発明の実施の形態の電子機器の接続確認システムの構成を示す機能ブロック図である。
【図２】本発明の実施の形態におけるＤＣＰユニットの接続確認の手順を示すフローチャートである。
【図３】本発明の実施の形態におけるリセットボタン押圧時におけるセンターユニット側の処理手順を示すフローチャートである。
【図４】本発明の実施の形態におけるリセットボタン押圧時におけるＤＣＰユニット側の処理手順を示すフローチャートである。
【符号の説明】
１…センターユニット
２…ＤＣＰユニット
３…ＣＤプレーヤ
４…データバス
５…イニシャルライン
１０，２０，３０…制御回路
１０ａ…接続状態判定手段
１０ｂ…システムチェック手段
１０ｃ…リセット手段
１０ｄ…イニシャルライン制御手段
１１…接続状態記憶部
１２…リセットボタン
１３，２６，３３…送受信部
２０ａ…操作入力制御手段
２０ｂ…接続情報制御手段
２０ｃ…書込制御手段
２０ｄ…記憶検知手段
２０ｅ…リセット検知手段
２０ｆ…初期化手段
２１…操作部
２２，３１…識別番号記憶部
２３，３２…確認要求コマンド記憶部
２４…揮発性メモリ
２５…不揮発性メモリ
２０１移行…手順の各ステップ
【図１】
0004276722.tif 000002
【図２】
0004276722.tif 000003
【図３】
0004276722.tif 000004
【図４】
0004276722.tif 000005